(57)【要約】本発明は少なくとも２個の共役二重結合を有する非環状オレフィン（Ｉ）または前記オレフィンを有する混合物を求核試薬（ＩＩ)とともにテロ重合する方法であり、触媒としてパラジウムカルベン錯体を使用することを特徴とする。【特許請求の範囲】
【請求項１】
少なくとも２個の共役二重結合を有する非環状オレフィン（Ｉ）または前記オレフィンを有する混合物を求核試薬（ＩＩ)とともにテロ重合する方法であり、触媒としてパラジウムカルベン錯体を使用することを特徴とする非環状オレフィンをテロ重合する方法。
【請求項２】
求核試薬として水、フェノール、ポリオール、カルボン酸、アンモニア、第一級アミンまたは第二級アミンの群から選択される物質を使用する請求項１記載の方法。
【請求項３】
求核試薬（ＩＩ）として、一般式（ＩＩａ）または（ＩＩｂ）：
【化１】
2004534059.tif 000017
（式中、Ｒ１、Ｒ１´は互いに独立に水素、直鎖、分枝鎖または環状Ｃ１〜Ｃ２２-アルキル基、アルケニル基、アルキニル基、カルボキシル基、またはＣ５〜Ｃ１８-アリール基から選択され、その際これらの基はＣＮ、-ＣＯＯＨ、-ＣＯＯ-アルキル-（Ｃ１〜Ｃ８）、-ＣＯ-アルキル-（Ｃ１〜Ｃ８）、−アリール-（Ｃ６〜Ｃ１０）、-ＣＯＯ−アリール-（Ｃ６〜Ｃ１０）、-ＣＯ-アリール-（Ｃ６〜Ｃ１０）、-Ｏ-アルキル-（Ｃ１〜Ｃ８）、-Ｏ-ＣＯ-アルキル-（Ｃ１〜Ｃ８）、-Ｎ-アルキル２-（Ｃ１〜Ｃ８）、-ＣＨＯ、-ＳＯ３Ｈ、-ＮＨ２、-Ｆ、-Ｃｌ、-ＯＨ、-ＣＦ３、-ＮＯ２の群から選択される置換基を有することができ、基Ｒ１、Ｒ１´は共有結合を介して互いに結合していてもよい）の化合物を使用する請求項１または２記載の方法。
【請求項４】
一般式（ＩＩＩ）または（ＩＶ）：
【化２】
2004534059.tif 000018
（式中、Ｒ２およびＲ３は互いに独立に直鎖、分枝鎖または環状Ｃ１〜Ｃ２４-アルキル基またはＣ５〜Ｃ１８-アリール基であり、その際アルキル基およびアリール基は互いに独立に置換基-ＣＮ、-ＣＯＯＨ、-ＣＯＯ-アルキル-（Ｃ１〜Ｃ８）、-ＣＯ-アルキル-（Ｃ１〜Ｃ８）、-アリール-（Ｃ６〜Ｃ１８）、-アルキル-（Ｃ１〜Ｃ２４）、-ＣＯＯ-アリール-（Ｃ６〜Ｃ１０）、-ＣＯ-アリール-（Ｃ６〜１０）、-Ｏ−アルキル-（Ｃ１〜Ｃ８）、-Ｏ-ＣＯ-アルキル-（Ｃ１〜Ｃ８）、-Ｎ-アルキル２-（Ｃ１〜Ｃ８）、-ＣＨＯ、-ＳＯ３Ｈ、-ＮＨ２-、-Ｆ、-Ｃｌ、-ＯＨ、-ＣＦ３、-ＮＯ２、フェロセニルを有することができ、
Ｒ４〜Ｒ７は互いに独立に水素、-ＣＮ、-ＣＯＯＨ、-ＣＯＯ-アルキル-（Ｃ１〜Ｃ８）、-ＣＯ-アルキル-（Ｃ１〜Ｃ８）、-ＣＯＯ-アリール-（Ｃ６〜Ｃ１０）、-ＣＯ-アリール-（Ｃ６〜Ｃ１０）、-Ｏ-アルキル-（Ｃ１〜Ｃ８）、-Ｏ-ＣＯ-アルキル-（Ｃ１〜Ｃ８）、-Ｎ-アルキル２-（Ｃ１〜Ｃ８）、-ＣＨＯ、-ＳＯ３Ｈ、-ＮＨ２、-Ｆ、-Ｃｌ、-ＯＨ、-ＣＦ３、-ＮＯ２または直鎖、分枝鎖、または環状Ｃ１〜Ｃ２４-アルキル基またはＣ６〜Ｃ１８-アリール基であり、アルキル基およびアリール基は互いに独立に置換基-ＣＮ、-ＣＯＯＨ、-ＣＯＯ-アルキル-（Ｃ１〜Ｃ８）、-ＣＯ-アルキル-（Ｃ１〜Ｃ８）、-アリール-（Ｃ６〜Ｃ１０）、-ＣＯＯ-アリール-（Ｃ６〜Ｃ１０）、-ＣＯ-アリール-（Ｃ６〜Ｃ１０）、-Ｏ-アルキル-（Ｃ１〜Ｃ８）、-Ｏ-ＣＯ-アルキル-（Ｃ１〜Ｃ８）、-Ｎ-アルキル２-（Ｃ１〜Ｃ８）、-ＣＨＯ、-ＳＯ３Ｈ、-ＮＨ２、-Ｆ、-Ｃｌ、-ＯＨ、-ＣＦ３、-ＮＯ２を有することができ、基Ｒ４およびＲ５は橋かけ脂肪族または芳香族の環の部分であってもよい）のカルベンリガンドを有するパラジウム錯体を使用する請求項１または２記載の方法。
【請求項５】
非環状オレフィンとして１，３-ブタジエンまたはイソプレンを使用する請求項１から４までのいずれか1項記載の方法。
【請求項６】
他のＣ４-炭化水素またはＣ５-炭化水素との混合物の形の１，３-ブタジエンを使用する請求項１から５までのいずれか1項記載の方法。
【請求項７】
溶剤として求核試薬（ＩＩ）または不活性有機溶剤または前記有機溶剤の混合物を使用する請求項１から６までのいずれか1項記載の方法。
【請求項８】
反応を１０〜１８０℃の温度および１〜３００バールの圧力で実施する請求項１から７までのいずれか１項記載の方法。
【請求項９】
カルベンリガンドとＰｄの比［モル／モル］が０.０１：１〜２５０：１である請求項１から８までのいずれか1項記載の方法。
【請求項１０】
パラジウムカルベン錯体を単離された錯体として使用する請求項１から９までのいずれか1項記載の方法。
【請求項１１】
パラジウムカルベン錯体をテロ重合反応の間にその場で製造する請求項１から１０までのいずれか1項記載の方法。
【請求項１２】
反応に、触媒量の、７より低いｐＫｂ値を有する塩基成分を添加する請求項１から１１までのいずれか１項記載の方法。
【請求項１３】
塩基成分としてアミン、アルカリ金属塩、アルカリ土類金属塩またはこれらの混合物を使用する請求項１から１２までのいずれか１項記載の方法。
【請求項１４】
塩基成分をオレフィン化合物に対して０.０１〜１０モル％の量で使用する請求項１から３までのいずれか１項記載の方法。
【請求項１５】
反応混合物中のパラジウム濃度が０.０１〜１０００ｐｐｍである請求項１から１４までのいずれか１項記載の方法。
【発明の詳細な説明】
【技術分野】
【０００１】
本発明は、少なくとも２個の共役二重結合を有する非環状オレフィン（Ｉ）を求核試薬（ＩＩ)とともにテロ重合する方法であり、その際触媒としてパラジウム錯体を使用する。
【０００２】
テロ重合は本発明の範囲で共役二重結合を有するオレフィン（共役ジエン）を求核試薬（テロゲン）の存在で反応させることを意味すると理解される。その際主要生成物としてジエン２当量および求核試薬１当量から形成される化合物が得られる。
【０００３】
テロ重合反応の生成物は溶剤、可塑剤、ファインケミカルスおよび作用物質前駆物質のための多方面に使用される前駆物質として技術的に重要である。ブタジエンから得られる化合物オクタジエノール、オクタジエニルエーテルまたはオクタジエニルエステルは相当するアルケンを製造する方法の場合による中間生成物である。
【０００４】
求核物質を用いるジエンのテロ重合は廉価な、技術的に使用できるジエンを純化する技術的に重要な方法である。良好な使用可能性によりブタジエン、イソプレンまたはこれらのジエンを有する接触分解断片の使用が特に有利である。しかし現在までブタジエンのテロ重合はクラレ社のみによりファインケミカル分野で１−オクタノールの合成に実際に使用される。テロ重合法の幅広い使用を妨げる理由は特にテロ重合触媒の不足する触媒活性、触媒生産性および選択性の問題である。従って公知のテロ重合法は高すぎる触媒費用および／または副生成物を生じ、これが大量生産の実現を妨げる。
【０００５】
ハロゲン不含のパラジウム（０）化合物およびパラジウム（ＩＩ）化合物がテロ重合の有効な触媒であることが示された（Ａ.Ｂｅｈｒ，Ａｓｐｅｃｔｓ  ｏｆ  Ｈｏｍｏｇｅｎｅｏｕｓ  Ｃａｔａｌｙｓｉｓ，Ｒ.Ｕｇｏ、Ｄ.Ｒｅｉｄｅｌ  Ｐｕｂｌｉｓｈｉｎｇ  Ｃｏｍｐａｎｙ、Ｄｏｏｒｄｒｅｃｈｔ／Ｂｏｓｔｏｎ／Ｌａｎｃａｓｔｅｒ，１９８４，Ｖｏｌ.５，３）．このほかに他の遷移金属の化合物、例えばコバルト（Ｒ.Ｂａｋｅｒ、Ａ.Ｏｎｉｏｎｓ、Ｒ.Ｊ.Ｐｏｐｐｅｌｓｔｏｎｅ、Ｔ.Ｎ.Ｓｍｉｔｈ、Ｊ.Ｃｈｅｍ.Ｓｏｃ.Ｐｅｒｋｉｎ  Ｔｒａｎｓ.ＩＩ  １９７５、１１３３−１１３８）、ロジウム、ニッケル（Ｒ.Ｂａｋｅｒ、Ｄ.Ｅ.Ｈａｌｌｉｄａｙ  Ｔ.Ｎ.Ｓｍｉｔｈ、Ｊ.Ｏｒｇａｎｏｍｅｔ.Ｃｈｅｍ.１９７２、３５，Ｃ６１−Ｃ６３：Ｒ.Ｂａｋｅｒ，Ｃｈｅｍ.Ｒｅｖ.１９７３，７３，４８７−５３０；Ｒ.Ｂａｋｅｒ，Ａ.Ｈ.Ｃｏｏｋ、Ｔ.Ｎ.Ｓｍｉｔｈ、Ｊ.Ｃｈｅｍ.Ｓｏｃ.Ｐｅｒｋｉｎ  Ｔｒａｎｓ.ＩＩ  １９７４、１５１７―１５２４）および白金が触媒として使用された。しかし最後に記載した系は活性および選択性に関してパラジウム錯体に劣る。
【０００６】
テロ重合は文献に詳細に記載されている。公知の前記触媒は、例えばメタノールを用いるブタジエンのテロ重合の際に一般にＸ＝Ｏ、Ｒ１＝Ｍｅである製造された生成物１ａ，１ｂ，２，３の混合物を生じる。その際主要生成物は所望の技術的に重要な線状テロマー１ａおよび１ｂである。しかし分枝状テロマー２および１，３，７−オクタトリエン３の著しい割合が生じる。
【０００７】
【化１】
2004534059.tif 000002
【０００８】
更に４−ビニル−１−シクロヘキセン（ブタジエンのディールスアルダー生成物）が変動する収率でおよび一般に少ない量で他の副生成物が生じる。生成物のこのスペクトルは一般に活性Ｈ原子を有する他の求核試薬を使用する場合にも存在し、その際メトキシ基の位置にそれぞれの求核試薬の相当する基が存在する。
【０００９】
前記副生成物の著しい形成は、経済的な、環境によい方法の変換をきわめて困難にする他の理由である。メタノールを用いるブタジエンのテロ重合がすでに多くの会社で集中的に処理され、特許を得たにもかかわらず、前記の問題は満足に解決されていない。
【００１０】
Ｄｏｗ  Ｃｈｅｍｉｃａｌ社、ＷＯ９１／０９８２２号、１９８９年に記載された、触媒としてパラジウムアセチルアセトネート／２当量トリフェニルホスファンを用いる連続的方法において、４４０００までの触媒生産性（ターンオーバー値）が達成された。しかし目的生成物１に対するこの種の触媒変換率は８５％より低い。
【００１１】
Ｎａｔｉｏｎａｌ  Ｄｉｓｔｉｌｌｅｒｓ  ａｎｄ  Ｃｈｅｍ社（米国特許第４６４２３９２号、米国特許第４８３１１８３号）、１９８７年は、オクタジエニルエーテルを製造する不連続的方法を記載する。その際生成物混合物を蒸留により触媒（酢酸パラジウム／５当量トリフェニルホスファン）から分離し、触媒はテトラグリムに溶けて残る。触媒は１２回まで再利用することができ、その際それぞれホスファンを補充する。しかし出発混合物は線状エーテルを５７％の収率で（ＴＯＮ２０００に相当する）生じる。生成物１と生成物２のｎ／イソ比はこの場合に３７.５：１である。Ｎａｔｉｏｎａｌ  Ｄｉｓｔｉｌｌｅｒｓの他の特許明細書において生成物混合物をヘキサンでの抽出により反応溶液から分離する。その際テロ重合をジメチルホルムアミドまたはスルホラン中で触媒混合物酢酸パラジウム（ＩＩ）／３当量トリフェニルホスフィンモノスルホネートを用いて実施する。第１混合物はＴＯＮ９００で線状テロマーを生じる。線状アルコールに関する選択率はわずか４０％である。
【００１２】
エタノール、プロパノールおよびブタノールのような長鎖第一級アルコールも（Ｊ.Ｂｅｇｅｒ、Ｈ.Ｒｅｉｃｈｅｌ、Ｊ.Ｐｒａｋｔ.Ｃｈｅｍ.１９７３、３１５、１０６７）ブタジエンとともに相当するテロマーを形成する。しかしこの場合に公知触媒の触媒活性は前記の場合より更に低い。従って同一の反応条件下で［Ｐｄ（アセチルアセトネート）２／ＰＰｈ３／ブタジエン／アルコール＝１：２：２０００：５０００、６０℃／１０時間］メタノールのテロマーが８８％の収率で、プロパノールのテロマーが６５％の収率でおよびノナノールのテロマーが２１％の収率で形成される。
【００１３】
要約すると、ブタジエンとアルコールのテロ重合反応のための公知のパラジウムホスファン触媒は満足する触媒変換率（触媒生産性、ターンオーバー値＝ＴＯＮ）を有していないと言うことができる。技術的に要求される１０００００より高い生産性は公知の系では記載されないかまたはほとんど記載されていない。その際生態的に有利な方法を達成するために、同時に９５％より高い化学的選択率および地域的選択率の高い選択率を達成すべきである。
【００１４】
カルボン酸はアルコールと同様にテロ重合反応での適当な求核試薬である。酢酸とブタジエンからＲ＝Ｍｅ−ＣＯ、Ｘ＝Ｏである相当するオクタジエニル誘導体１ａ，１ｂおよび２が良好な収率で得られる（ドイツ特許第２１３７２９１号）。生成物１／２の比はパラジウム上のリガンドを介して調節することができる（Ｄ.Ｒｏｓｅ、Ｈ.Ｌｅｐｐｅｒ、Ｊ.Ｏｒｇａｎｏｍｅｔ.Ｃｈｅｍ.１９７３、４９、４７３）。リガンドとしてトリフェニルホスファンを使用して４／１の比が達成され、トリス（ｏ−メチルフェニル）ホスフィットを使用する場合にこの比が１７／１に高めることができた。ピバリン酸、安息香酸またはメタクリル酸のようなカルボン酸およびジカルボン酸が同様にブタジエンと反応することができる。Ｓｈｅｌｌ  Ｏｉｌはカルボン酸と共役ジエンのテロ重合にもとづき米国特許第５０３０７９２号においてα−オレフィンの製造方法を記載した。
【００１５】
求核試薬として水を使用するテロ重合反応は特にクラレ社により集中的に研究された（米国特許第４３３４１１７号、米国特許第４３５６３３３号、米国特許第５０５７６３１号）。その際リガンドとしてホスフィン、多くは水溶性ホスフィンまたはホスホニウム塩（欧州特許第０２９６５５０号）を使用する。リガンドとして水溶性ジホスフィンの使用はＷＯ９８０８７９４号に記載され、ドイツ特許第１９５２３３３５号はホスホナイトまたはホスフィニットリガンドの存在でアルカジエンと水の反応を保護する。
【００１６】
ブタジエンとホルムアルデヒド、アルデヒド、ケトン、二酸化炭素、二酸化硫黄、スルフィン酸、β−ケトエステル、β−ジケトン、マロン酸エステル、α−ホルミルケトンおよびシランのような求核試薬とのテロ重合は同様に記載されている。
【００１７】
テロ重合の大部分の研究はブタジエンを使用して実施する。しかし反応は共役二重結合を有する他のジエンでも使用できる。これは形式的に水素原子が他の基に置換されているブタジエンの誘導体として考えることができる。イソプレンが技術的に特に重要である。イソプレンはブタジエンと異なり不斉分子であるので、テロ重合の際に他の異性体を形成する（Ｊ.Ｂｅｇｅｒ，Ｃｈ.Ｄｕｓｃｈｅｋ，Ｈ.Ｒｅｉｃｈｅｌ，Ｊ.Ｐｒａｋｔ.Ｃｈｅｍ.１９７３，３１５，１０７７−８９）。その際これらの異性体の比は求核試薬の種類およびリガンドの選択によりかなり影響される。
【００１８】
前記のテロ重合生成物の意義および現在の技術水準の問題により、廉価で安定なリガンドを有し、公知の触媒法の欠点を示さず、大量生産の実施に適しており、高い収率、触媒生産性、および純度でテロ重合生成物を生じる、テロ重合反応のための新しい触媒系に対する大きな需要が存在する。
【００１９】
前記課題は、少なくとも２個の共役二重結合を有する非環状オレフィン（Ｉ）または前記オレフィンを有する混合物を求核試薬（ＩＩ)とともにテロ重合する方法により解決され、その際触媒としてパラジウムカルベン錯体を使用することを特徴とする。
【００２０】
１つの有利な実施態様において、求核試薬（ＩＩ）として、一般式（ＩＩａ）または（ＩＩｂ）：
【００２１】
【化２】
2004534059.tif 000003
（式中、Ｒ１、Ｒ１´は互いに独立に水素、直鎖、分枝鎖または環状Ｃ１〜Ｃ２２-アルキル基、アルケニル基、アルキニル基、カルボキシル基、またはＣ６〜Ｃ１８-アリール基から選択され、その際これらの基はＣＮ、-ＣＯＯＨ、-ＣＯＯ-アルキル-（Ｃ１〜Ｃ８）、-ＣＯ-アルキル-（Ｃ１〜Ｃ８）、−アリール-（Ｃ６〜Ｃ１０）、-ＣＯＯ−アリール-（Ｃ６〜Ｃ１０）、-ＣＯ-アリール-（Ｃ６〜Ｃ１０）、-Ｏ-アルキル-（Ｃ１〜Ｃ８）、-Ｏ-ＣＯ-アルキル-（Ｃ１〜Ｃ８）、-Ｎ-アルキル２-（Ｃ１〜Ｃ８）、-ＣＨＯ、-ＳＯ３Ｈ、-ＮＨ２、-Ｆ、-Ｃｌ、-ＯＨ、-ＣＦ３、-ＮＯ２の群から選択される置換基を有することができ、基Ｒ１、Ｒ１´は共有結合を介して互いに結合していてもよい）の化合物を使用する。
【００２２】
触媒として、有利に一般式（ＩＩＩ）または（ＩＶ）：
【００２３】
【化３】
2004534059.tif 000004
（式中、Ｒ２およびＲ３は互いに独立に直鎖、分枝鎖または環状Ｃ１〜Ｃ２４-アルキル基またはＣ５〜Ｃ１８-アリール基であり、その際アルキル基およびアリール基は互いに独立に置換基-ＣＮ、-ＣＯＯＨ、-ＣＯＯ-アルキル-（Ｃ１〜Ｃ８）、-ＣＯ-アルキル-（Ｃ１〜Ｃ８）、-アリール-（Ｃ５〜Ｃ１８）、-アルキル-（Ｃ１〜Ｃ２４）、-ＣＯＯ-アリール-（Ｃ６〜Ｃ１０）、-ＣＯ-アリール-（Ｃ６〜１０）、-Ｏ−アルキル-（Ｃ１〜Ｃ８）、-Ｏ-ＣＯ-アルキル-（Ｃ１〜Ｃ８）、-Ｎ-アルキル２-（Ｃ１〜Ｃ８）、-ＣＨＯ、-ＳＯ３Ｈ、-ＮＨ２-、-Ｆ、-Ｃｌ、-ＯＨ、-ＣＦ３、-ＮＯ２、フェロセニルを有することができ、
Ｒ４〜Ｒ７は互いに独立に水素、-ＣＮ、-ＣＯＯＨ、-ＣＯＯ-アルキル-（Ｃ１〜Ｃ８）、-ＣＯ-アルキル-（Ｃ１〜Ｃ８）、-ＣＯＯ-アリール-（Ｃ６〜Ｃ１０）、-ＣＯ-アリール-（Ｃ６〜Ｃ１０）、-Ｏ-アルキル-（Ｃ１〜Ｃ８）、-Ｏ-ＣＯ-アルキル-（Ｃ１〜Ｃ８）、-Ｎ-アルキル２-（Ｃ１〜Ｃ８）、-ＣＨＯ、-ＳＯ３Ｈ、-ＮＨ２、-Ｆ、-Ｃｌ、-ＯＨ、-ＣＦ３、-ＮＯ２または直鎖、分枝鎖、または環状Ｃ１〜Ｃ２４-アルキル基またはＣ６〜Ｃ１８-アリール基であり、アルキル基およびアリール基は互いに独立に置換基-ＣＮ、-ＣＯＯＨ、-ＣＯＯ-アルキル-（Ｃ１〜Ｃ８）、-ＣＯ-アルキル-（Ｃ１〜Ｃ８）、-アリール-（Ｃ６〜Ｃ１０）、-ＣＯＯ-アリール-（Ｃ６〜Ｃ１０）、-ＣＯ-アリール-（Ｃ６〜Ｃ１０）、-Ｏ-アルキル-（Ｃ１〜Ｃ８）、-Ｏ-ＣＯ-アルキル-（Ｃ１〜Ｃ８）、-Ｎ-アルキル2-（Ｃ１〜Ｃ８）、-ＣＨＯ、-ＳＯ３Ｈ、-ＮＨ２、-Ｆ、-Ｃｌ、-ＯＨ、-ＣＦ３、-ＮＯ２を有することができ、基Ｒ４およびＲ５は橋かけ脂肪族または芳香族の環の部分であってもよい）のカルベンリガンドを有するパラジウム錯体を使用する。
【００２４】
テロ重合において、原則的にすべての少なくとも２個の共役二重結合を有する非環状オレフィンを使用することができる。本発明の範囲で１，３−ブタジエンおよびイソプレン（２−メチル−１，３−ブタジエン）の使用が有利である。その際純粋なジエンおよび前記ジエンを有する混合物を使用することができる。
１、３−ブタジエンを含有する混合物として、有利に１，３−ブタジエンと他のＣ４−炭化水素および／またはＣ５−炭化水素の混合物を使用する。この混合物は、例えばエテンを製造するための接触分解法の際に形成され、ここで精製ガス、ナフサ、ガス油、ＬＰＧ（液化石油ガス）、ＮＧＬ（液体天然ガス）等が反応する、前記工程で副生成物として生じるＣ４−カットは接触分解法に応じて種々の量の１，３−ブタジエンを有する。Ｃ４−カット中の典型的な１，３−ブタジエン濃度は、ナフサ蒸気接触分解装置から得られるように、２０〜７０％の１，３−ブタジエンである。
【００２５】
このカットに同様に含まれるＣ４−成分、ｎ−ブタン、イソブタン、１−ブテン、シス−２−ブテン、トランス−２−ブテン、およびイソブテンはテロ重合工程で反応を妨害しないかまたはほとんど妨害しない。
【００２６】
累積二重結合を有するこの成分（１，２−ブタジエン、アレン等）およびアルキン、特にビニルアセチレンは、これに対してテロ重合で速力調節剤として作用する。従ってＣ４−アルキンおよび場合により１，２−ブタジエンを予め除去することが有利である（ドイツ特許第１９５２３３３５号）。これは、可能な場合は、蒸留または抽出のような物理的方法により行うことができる。化学的方法によりアルキンを選択的水素化によりアルケンまたはアルカンに、累積ジエンをモノエンに還元することができる。この種の水素化の方法は技術水準であり、例えばＷＯ９８／１２１６０号、欧州特許第０２７３９００号、ドイツ特許第３７４４０８６号または米国特許第４７０４４９２号に記載されている。
【００２７】
求核試薬として一般式ＩＩを満足するすべての化合物を有利に使用する。一般式ＩＩによるテロゲンの例は、
水
例えばメタノール、エタノール、ｎ−プロパノール、イソプロパノール、アリルアルコール、ブタノール、オクタノール、２−エチルヘキサノール、イソノナノール、ベンジルアルコール、シクロヘキサノール、シクロペンタノール、２−メトキシエタノール、フェノールまたは２，７−オクタジエン−１−オールのようなモノアルコールおよびフェノール、
例えばエチレングリコール、１，２−プロパンジオール、１，３−プロパンジオール、１，４−ブタンジオール、１，２−ブタンジオール、２，３−ブタンジオール、および１，３−ブタンジオールのようなジアルコール、
例えばグリセリン、グルコース、サッカロースのようなポリオール、
例えばα−ヒドロキシ酢酸エステルのようなヒドロキシ化合物、
例えば酢酸、プロパン酸、ブタン酸、イソブタン酸、安息香酸、１，２−ベンゼンジカルボン酸、１，３−ベンゼンジカルボン酸、１，４−ベンゼンジカルボン酸、１，２，４−ベンゼントリカルボン酸のようなカルボン酸、
アンモニア、
例えばメチルアミン、エチルアミン、プロピルアミン、ブチルアミン、オクチルアミン、２，７−オクタジエニルアミン、ドデシルアミン、アニリン、エチレンジアミンまたはヘキサメチレンジアミンのような第一級アミン、
例えばジメチルアミン、ジエチルアミン、Ｎ−メチルアニリン、ビス（２，７−オクタジエニル）アミン、ジシクロヘキシルアミン、メチルシクロヘキシルアミン、ピロリジン、ピペリジン、モルホリン、ピペラジン、またはヘキサメチレンイミンのような第二級アミンである。
【００２８】
テロ重合反応によりそれ自体得られるテロゲンを直接使用するかまたはその場で形成することができる。従って例えば水とブタジエンからテロ重合触媒の存在で２，７−オクタジエン−１−オールを、アンモニアと１，３−ブタジエンから２，７−オクタジエニルアミン等をその場で形成することができる。
【００２９】
特に有利に使用されるテロゲンは水、メタノール、エタノール、ｎ−ブタノール、アリルアルコール、２−メトキシエタノール、フェノール、エチレングリコール、１，３−プロパンジオール、グリセリン、グルコース、サッカロース、酢酸、ブタン酸、１，２−ベンゼンジカルボン酸、アンモニア、ジメチルアミン、およびジエチルアミンである。
【００３０】
使用される求核試薬が反応条件で液体として存在する場合は、溶剤として一般に使用される求核試薬を使用する。しかし他の溶剤を使用することもできる。その際使用される溶剤は十分に不活性であるべきである。反応条件下で固体として存在する求核試薬を使用する場合にまたは反応条件下で固体として生じる生成物の場合に溶剤の添加が有利である。適当な溶剤は特に脂肪族、脂環式および芳香族の炭化水素、例えばＣ３〜Ｃ２０−アルカン、低級アルカン（Ｃ３〜Ｃ２０）の混合物、シクロヘキサン、シクロオクタン、エチルシクロヘキサン、アルケン、およびポリエン、ビニルシクロヘキサン、１，３，７−オクタトリエン、接触分解Ｃ４−カットからのＣ４−炭化水素、ベンゼン、トルエン、およびキシレン、例えば第三級および第二級アルコールのような極性溶剤、例えばアセトアミド、ジメチルアセトアミド、およびジメチルホルムアミドのようなアミド、例えばアセトニトリル、およびベンゾニトリルのようなニトリル、例えばアセトン、メチルイソブチルケトン、およびジエチルケトンのようなケトン、例えば酢酸エチルエステルのようなカルボン酸エステル、例えばジプロピルエーテル、ジエチルエーテル、ジメチルエーテル、メチルオクチルエーテル、３−メトキシオクタン、ジオキサン、テトラヒドロフラン、アニソール、エチレングリコールのアルキルエーテルおよびアリールエーテルのようなエーテル、ジエチレングリコール、およびポリエチレングリコール、および例えばスルホラン、ジメチルスルホキシド、エチレンカーボネート、プロピレンカーボネートおよび水のような他の極性溶剤である。イオン性液体、例えばイミダゾリウムまたはピリジニウム塩も溶剤として使用することができる。
【００３１】
溶剤は単独でまたは種々の溶剤の混合物として使用することができる。
【００３２】
テロ重合反応を実施する温度は１０〜１８０℃、有利に３０〜１２０℃、特に４０〜１００℃である。反応圧力は１〜３００バール、有利に１〜１２０バール、特に１〜６４バール、特に有利に１〜２０バールである。
【００３３】
テロ重合反応をカルベンリガンドを有するパラジウム錯体を基礎とする触媒を使用して実施することが本発明の方法に重要である。
【００３４】
一般式ＩＩＩまたはＩＶに相当するカルベンリガンドおよびこの種のリガンドを有する錯体の例は文献にすでに記載されている（Ｗ.Ａ.Ｈｅｒｍａｎｎ，Ｃ.Ｋｏｅｃｈｅｒ，Ａｎｇｅｗ.Ｃｈｅｍ.１９９７，１０９，２２５７，Ａｎｇｅｗ.Ｃｈｅｍ.Ｉｎｔ.Ｅｄ.Ｅｎｇｌ.１９９７，３６，２１６２，Ｖ.Ｐ.Ｗ.Ｂｏｅｈｍ，Ｃ.Ｗ.Ｋ.Ｇｓｔｏｅｔｔｍａｙｒ，Ｔ.Ｗｅｓｋａｍｐ，Ｗ.Ａ.Ｈｅｒｍａｎｎ，Ｊ.Ｏｒｇａｎｏｍｅｔ.Ｃｈｅｍ.２０００，５９５，１８６，ドイツ特許第４４４７０６６号）。
【００３５】
本発明の範囲でカルベンリガンドはリガンドとして機能できる遊離カルベンおよびパラジウムに配位結合したカルベンを意味する。
【００３６】
反応条件下で活性触媒を形成する触媒金属パラジウムは種々のやり方で工程に導入することができる。
ａ）パラジウムが有利に酸化段階（ＩＩ）または（０）で存在するパラジウム−カルベン錯体として、
ｂ）その場で触媒を形成するパラジウム前駆物質の形で。
【００３７】
ａ）について
例はパラジウム（０）カルベン−オレフィン錯体、パラジウム（０）ジカルベン錯体およびパラジウム（ＩＩ）ジカルベン錯体、パラジウム（０）カルベン−１，６−ジエン錯体である。１，６−ジエンとして、例えばジアリルアミン、１，１´−ジビニルテトラメチルジシロキサン、２，７−オクタジエニルエーテル、または２，７−オクタジエニルアミンが機能することができる。他の例は、以下の式Ｉ−ａ〜Ｉ−ｅに示される。
【００３８】
【化４】
2004534059.tif 000005
【００３９】
パラジウムのカルベン錯体は種々のやり方で製造することができる。簡単な方法は、例えばカルベンリガンドの付加またはパラジウム錯体のリガンドをカルベンリガンドに交換することである。従って、例えば錯体Ｉ−ｆ〜Ｉ−ｉは錯体ビス（トリ−ｏ−トリルホスフィン）パラジウム（０）の燐リガンドの交換により得られる（Ｔ.Ｗｅｓｋａｍｐ，Ｗ.Ａ.Ｈｅｒｍａｎｎ，Ｊ.Ｏｒｇａｎｏｍｅｔ.Ｃｈｅｍ.２０００，５９５，１８６）。
【００４０】
【化５】
2004534059.tif 000006
【００４１】
ｂ）について
パラジウム前駆物質として、例えば以下のものを使用することができる。酢酸パラジウム（ＩＩ）、塩化パラジウム（ＩＩ）、臭化パラジウム（ＩＩ）、テトラクロロパラジウム酸リチウム、パラジウム（ＩＩ）アセチルアセトネート、パラジウム（０）クロリドビスアセトニトリル、パラジウム（ＩＩ）ビストリフェニルホスファンジクロリド、パラジウム（ＩＩ）クロリドビスベンゾニトリル、ビス（トリ−ｏ−トリルホスフィン）パラジウム（０）および他のパラジウム（０）錯体およびパラジウム（ＩＩ）錯体。
【００４２】
一般式ＩＩＩおよびＩＶによるカルベンは遊離カルベンの形でまたは金属錯体として使用するかまたはカルベン前駆物質からその場で製造する。
【００４３】
カルベン前駆物質として、例えば一般式ＶおよびＶＩ：
【００４４】
【化６】
2004534059.tif 000007
（式中、Ｒ２、Ｒ３、Ｒ４、Ｒ５、Ｒ６、Ｒ７は一般式ＩＩＩおよびＩＶに記載されたと同じものを表し、Ｙは１つの電荷のアニオン基または化学量に相当して持ち分に応じて複数の電荷のアニオン基を表す）によるカルベンの塩が適している。
【００４５】
Ｙの例はハロゲン化物、硫酸水素塩、硫酸塩、アルキル硫酸塩、アリール硫酸塩、ホウ酸塩、炭酸水素塩、炭酸塩、アルキルカルボキシレート、アリールカルボキシレートである。
【００４６】
カルベンの塩から例えば塩基と反応することにより相当するカルベンを遊離することができる。
【００４７】
全質量に対するパラジウム金属のｐｐｍ（質量）で形式的に示される触媒の濃度は０.０１〜１０００ｐｐｍ、有利に０.５〜１００ｐｐｍ、特に１〜５０ｐｐｍである。
【００４８】
カルベンとＰｄの比［モル／モル］は０.０１：１〜２５０：１、有利に１：１〜１００：１、特に１：１〜５０：１である。カルベンリガンドのほかになお他のリガンド、例えばトリフェニルホスフィンのような燐リガンドが反応混合物中に存在してもよい。
【００４９】
触媒活性および触媒選択性により、本発明の方法においてきわめて少ない量の触媒を使用することが可能である。触媒を再利用する方法の実施のほかに触媒を循環しない選択法も開示されている。両方の変形は特許文献にすでに記載されている（ＷＯ９０／１３５３１号、米国特許第５２５４７８２号、米国特許第４６４２３９２号）。
【００５０】
テロ重合反応を塩基の存在で実施することがしばしば有利である。有利に７未満のｐＫｂ値を有する塩基成分、特にアミン、アルカリ金属塩、アルカリ土類金属塩の群から選択される化合物を使用する。
【００５１】
塩基成分として、例えば脂環式および／または開鎖であってもよいトリアルキルアミンのようなアミン、アミド、脂肪族および／または芳香族カルボン酸のアルカリ金属塩および／またはアルカリ土類金属塩、例えば酢酸塩、プロピオン酸塩、安息香酸塩もしくは相当する炭酸塩、炭酸水素塩、アルカリ元素および／またはアルカリ土類元素のアルコラート、有利にリチウム、ナトリウム、カリウム、カルシウム、マグネシウム、セシウム、アンモニウムおよびホスホニウム化合物の燐酸塩、燐酸水素塩および／または水酸化物が適している。一般式ＩＩによる求核試薬のアルカリ金属塩およびアルカリ土類金属塩および金属塩が添加物として有利である。
【００５２】
一般に（オレフィンに対して）０.０１〜１０モル％、有利に０.１〜５モル％、特に０.２〜１モル％の塩基成分を使用する。
【００５３】
本発明の方法において、使用されるジエンと求核試薬の比［モル／モル］は１：１００〜１００：１、有利に１：５０〜１０：１、特に１：１０〜２：１である。
【００５４】
本発明の方法は連続的にまたは不連続的に運転することができ、決められた反応器タイプの使用に限定されない。反応を実施することができる反応器の例は、攪拌釜反応器、攪拌釜カスケード、流動管およびループ式反応器である。種々の反応器の組み合わせ、例えば後方に接続された流動管を有する攪拌釜反応器が可能である。
【００５５】
本発明の方法において、最初にカルベンリガンドをテロ重合に使用する。意想外に本発明の触媒は選択性および生産性において公知のパラジウム−ホスファン触媒より優れている。本発明の方法において、例えばブタジエンとアルコールのテロ重合の際に２０００００以上の程度の大きさで触媒のターンオーバー値（触媒生産性）を問題なく実現することができる。
【００５６】
以下の実施例により本発明を説明するが、特許出願の保護領域を限定するものでない。
【００５７】
実施例
ブタジエンとメタノールでテロ重合する一般的な作業工程
保護ガス下で１００ｍｌ振動管内で相当する量の触媒（０.０１〜０.０００１モル％）をメタノール５６ｇ（１.７５モル）に溶かす。溶液をトリエチルアミンまたは水酸化ナトリウム５ミリモルと混合する。引き続き反応溶液を真空オートクレーブに吸入し、オートクレーブを−１０℃以下に冷却し、ブタジエンを凝縮して入れる（ブタジエン貯蔵びん内の質量の損失により量を測定する）。オートクレーブを反応温度に加温し、反応後に室温に冷却する。未反応ブタジエンをドライアイスで冷却した冷却トラップに戻して凝縮する反応溶液の質量の増加から変換率を決定する。生成物を単離するために、溶液を真空で蒸留する。
【００５８】
ＧＣ分析：反応溶液をイソオクタン５ｍｌ（ａ）またはジエチレングリコールジメチルエーテル５ｍｌ（ｂ）（ＧＣ標準）と混合した。
２，７−オクタジエニル−１−メチルエーテル：
ＧＣ（カラムＨＰ５/３０ｍ、温度プログラム：３５℃、１０分、毎分８℃で２８０℃にする、Ｉｎｊ：２５０℃、一定流量、ａ）ｔＲ（ビニルシクロヘキサン）＝１２.３分、ｔＲ（オクタトリエン）＝１１.６分および１１.７分、ｔＲ（１）＝１９分、ｔＲ（イソオクタン）＝４.５分。
【００５９】
【化７】
2004534059.tif 000008
【００６０】
１ＨＮＭＲ（ＣＤＣｌ３、４００ＭＨｚ）
δ＝１.３９（５重線、３Ｊ５．４および６＝８Ｈｚ、２Ｈ、５-Ｈ）、１.９（ｍ、４Ｈ、４-Ｈおよび６-Ｈ）、３.２（ｓ、３Ｈ、ＯＣＨ３）、３.７（ｄ、３Ｊ１．２＝６Ｈｚ、２Ｈ、１-Ｈ）、４.７５-４.９（ｍ、２Ｈ、８-Ｈ）、５.３５-５.４５（ｍ、１Ｈ、７-Ｈ）、５.５-５.７（ｍ、２Ｈ、２-Ｈおよび３-Ｈ）。
１３ＣＮＭＲ（ＣＤＣｌ３、１００ＭＨｚ）：
δ＝２８.６（Ｃ-５）、３２.０（Ｃ-４）、３３.５（Ｃ-６）、５７.９（ＯＣＨ３）、７３.５（Ｃ-１）、１１４.９（Ｃ-８）、１２６.９（Ｃ-２）、１３４.８（Ｃ-３）、１３８.８（Ｃ-７）。
２.７−オクタジエニル−１−ブチルエーテル：
ＧＣ（カラムＨＰ５/３０ｍ、温度プログラム：３５℃、１０分、毎分８℃で２８０℃にする、Ｉｎｊ：２５０℃、一定流量、ｂ）ｔＲ（ビニルシクロヘキサン）＝１２分、ｔＲ（オクタトリエン）＝１１.６分および１１.７分、ｔＲ（２）＝２４.１分、ｔＲ（ジグリム）＝１７.１分
【００６１】
【化８】
2004534059.tif 000009
【００６２】
１ＨＮＭＲ（ＣＤＣｌ３、４００ＭＨｚ）
δ＝０.７５（ｔ、Ｊ＝７.３Ｈｚ、３Ｈ、１２-Ｈ）１.２５（６重線、Ｊ＝７.１Ｈｚ、２Ｈ、１１-Ｈ）、１.３９（ｑ、３Ｊ５．４および６＝７Ｈｚ、２Ｈ、５-Ｈ）、１.４２（５重線、Ｊ＝７.１Ｈｚ、２Ｈ、１０-Ｈ）、１.９（ｍ、４Ｈ、４-Ｈおよび６-Ｈ）、３.２６（ｔ、Ｊ＝６.７Ｈｚ，２Ｈ、９-Ｈ）、３.７（ｄｄ、Ｊ＝６Ｈｚ，Ｊ＝１Ｈｚ，２Ｈ、１-Ｈ）４.７６-４.９（ｍ、２Ｈ、８-Ｈ）、５.３６-５.４５（ｍ、１Ｈ、７-Ｈ）、５.５-５.７（ｍ、２Ｈ、２-Ｈおよび３-Ｈ）。
１３ＣＮＭＲ（ＣＤＣｌ３、１００ＭＨｚ）：
δ＝１３.６（Ｃ-１２）、１９.１（Ｃ-１１）、２８.０５（Ｃ-５）、３１.４（Ｃ-１０）、３１.６（Ｃ-４）、３２.９（Ｃ-６）、６９.１（Ｃ-９）、７１.３（Ｃ-１）、１１４.３（Ｃ-８）、１２６.９（Ｃ-２）、１３３.５（Ｃ-３）、１３８.２（Ｃ-７）。
ＭＳｍ/ｚ（％）：１８２［Ｍ＋］（１.４），１３９（４.３），１２６（１０.６），１０８（２４），１０１（３.９），９７（１１），９３（２７），８２（３５），６７（７２），５７（１００）；ＨＲＭＳ］Ｃ１２Ｈ２２Ｏ、計算値１８２.１６７０７、測定値１８２.１６４６０．
比較例１〜１７
アルコールとしてメタノールを使用してブタジエンのテロ重合の一般的作業工程に類似してテロ重合を行った。他のアルコールを使用する場合にアルコールの量を維持し、ブタジエン、触媒等の量を表の表示に相当して調節する。パラジウム化合物として錯体Ａ−Ｅを添加した。塩基として水酸化ナトリウムを使用し、反応時間はそれぞれ１６時間であった。
【００６３】
【化９】
2004534059.tif 000010
【００６４】
例１８パラジウム錯体Ｅの合成
トルエン２０ｍｌ中のビス（トリ−ｏ−トリルホスフィン）パラジウム（０）１ｇの懸濁液に、トルエン２０ｍｌに溶かした１，３−ジメシチルイミダゾリン−２−イリデン９１５ｍｇの溶液を添加する。反応混合物を室温で１時間攪拌し、引き続き溶剤を真空で除去する。残留物をヘキサンで洗浄し（１０ｍｌで３回）、真空で乾燥後、錯体Ｅが得られ、これを更に精製せずにテロ重合反応に使用した。
【００６５】
収率６３％、１３ＣＮＭＲ（Ｃ６Ｄ３、１００ＭＨｚ）：δ＝１８６.２（Ｐｄ-ＣＮ２）。
【００６６】
例１９〜２０
触媒をその場でパラジウム前駆物質およびカルベン前駆物質Ｆから製造した［Ｐｄ（ＯＡｃ）２＝酢酸パラジウム（ＩＩ）、Ｐｄ２（ｄｂａ）３＝ジ（ジベンジリデンアセトン）パラジウム（０）］。化合物Ｆは公知方法（例えばＷＯ０００１７３９号）により得られ、商業的に販売されている（Ｓｔｒｅｍ）。
【００６７】
ブタジエンとメタノールのテロ重合の一般的作業工程によりテロ重合を行った。塩基として水酸化ナトリウムを使用し、反応時間はそれぞれ１６時間であった。
【００６８】
【表１】
2004534059.tif 000011
【００６９】
例２１〜２２
１００ｍｌ振動管内で、保護ガス下でフェノール７０.６ｇ（０.７５モル）および相当する量の触媒Ａ（ブタジエンモルに対するＰｄモル％）をテトラヒドロフラン７０ｍｌに溶かす。塩基としてナトリウムフェノラートを使用されるフェノールの量に対して１モル％で添加する。引き続き反応溶液を真空オートクレーブに吸入し、オートクレーブを−１０℃以下に冷却し、ブタジエンを凝縮して入れる（ブタジエン貯蔵びん内の質量の損失により量を測定する）。フェノールとブタジエンのモル比は２：１であった。
【００７０】
オートクレーブを９０℃に加温し、１６時間後室温に冷却する。未反応ブタジエンをドライアイスで冷却した冷却トラップに戻して凝縮する。反応溶液の質量の増加から変換率を決定する。生成物を単離するために溶液を真空で蒸留する。
【００７１】
【表２】
2004534059.tif 000012
【００７２】
２.７オクタジエニル−１−フェニルエーテル
１ＨＮＭＲ（ＣＤＣｌ３、４００ＭＨｚ）
δ＝１.８（５重線、Ｊ＝７.５、５-Ｈ）、２.３-２.４（ｍ、４Ｈ、４-Ｈおよび６-Ｈ）、４.７４（ｄ、ｄ、Ｊ＝５.５、Ｊ＝１、２Ｈ、１-Ｈ）、５.２-５.３５（ｍ、２Ｈ、８-Ｈ）、５.９-６.２（ｍ、３Ｈ、７-Ｈ、２-Ｈ、３-Ｈ）、７.１８-７.２１（ｍ、３Ｈ、１０-Ｈ、１２-Ｈ）、７.５-７.６（ｍ、２Ｈ、１１-Ｈ）。
１３ＣＮＭＲ（ＣＤＣｌ３、１００ＭＨｚ）：
δ＝２８.０（Ｃ-５）、３１.６（Ｃ-４）、３３.０（Ｃ-６）、６８.４（Ｃ-１）、１１４.５３（Ｃ-８）、１２０.５（Ｃ-１１）、１２５.１（Ｃ-２）、１２９.１（Ｃ-１２）、１２９.２（Ｃ-１０）、１３４.８（Ｃ-３）、１３８.３（Ｃ-７）、１５８.５（Ｃ-９）。
ＭＳｍ/ｚ（％）：［Ｍ＋］２０２（２.５），１０８（９.９），９４（１００），７９（１１），６７（５５），５８（１１）、５５（２４）、４３（４０）、；ＨＲＭＳ］Ｃ１４Ｈ１５Ｏ、計算値２０２.１３５７７、測定値２０２.１３４８５。
【００７３】
【化１０】
2004534059.tif 000013
例２３
ブタジエンとメタノールのテロ重合の一般的な作業工程に類似してテロ重合を行った。パラジウム化合物として錯体Ａを添加した。塩基としてナトリウムイソプロピラート１モル％を使用した。反応時間は９０℃で１６時間であり、イソプロパノールとブタジエンのモル比は２：１であった。
【００７４】
【表３】
2004534059.tif 000014
【００７５】
２.７−オクタジエニル−１−イソプロピルエーテル
ＧＣ（カラムＨＰ５/３０ｍ、温度プログラム：３５℃、１０分、毎分８℃で２８０℃にする、Ｉｎｊ：２５０℃、一定流量、ｂ）ｔＲ（ビニルシクロヘキサン）＝１２分、ｔＲ（オクタトリエン）＝１１.６分および１１.７分、ｔＲ（２）＝１９.２分、ｔＲ（１）＝１６.５１、ｔＲ（ジグリム）＝１７.１分。
【００７６】
１ＨＮＭＲ（ＣＤＣｌ３、４００ＭＨｚ）
δ＝１.０５（ｓのｄ、６Ｈ，１０-Ｈ、１１-Ｈ）、１.４（５重線、Ｊ＝７.５Ｈｚ、２Ｈ、１０-Ｈ）、１.９（ｍ、４Ｈ、４-Ｈおよび６-Ｈ）、３.５（７重線、Ｊ＝６.１Ｈｚ、２Ｈ、９-Ｈ）、３.８２（ｄｄ、Ｊ＝６.２Ｈｚ，Ｊ＝１Ｈｚ，２Ｈ、１-Ｈ）、４.７６-４.９（ｍ、２Ｈ、８-Ｈ）、５.３６-５.４５（ｍ、１Ｈ、７-Ｈ）、５.５-５.７５（ｍ、２Ｈ、２-Ｈおよび３-Ｈ）。
１３ＣＮＭＲ（ＣＤＣｌ３、１００ＭＨｚ）：
δ＝２１.７（Ｃ-１１，Ｃ-１０）、２７.９（Ｃ-５）、３１.３（Ｃ-４）、３２.９（Ｃ-６）、６９.１（Ｃ-９）、７０.８（Ｃ-１）、１１４.８（Ｃ-８）、１２７.７（Ｃ-２）、１３３.５（Ｃ-３）、１３８.７（Ｃ-７）。
ＭＳｍ/ｚ（％）：［Ｍ＋］１６８（０.１１），１２６（１２.５），１０９（３０.６），９７（１３），９３（２５），８２（６８），６７（９５），５５（７６）、４３（１００）
ＥＡ；Ｃ１１Ｈ２０Ｏ、計算値Ｃ；７８.５１、Ｈ；１１.９８、測定値Ｃ；７８.５６、Ｈ１１.９５。
【００７７】
【化１１】
2004534059.tif 000015
【００７８】
例２４：１，３−ビス（２，４，６−トリメチルフェニル）イミダゾリウムトシレート（Ｇ）の合成
１，３−ビス（２，４，６−トリメチルフェニル）イミダゾリウムクロリド（Ｆ）１.５ｇ（４.４ミリモル）を無水ＭｅＯＨ１０ｍｌに溶かし、ナトリウムトシレート０.８５４ｇ（４.４ミリモル）と混合する。ナトリウムトシレートが完全に溶解した（磁気攪拌）後で、真空で約３ｍｌの溶剤容積まで濃縮し、アセトン５０ｍｌを添加する。４０℃で２時間攪拌し、沈殿した塩化ナトリウムを濾過し、真空で溶液を約１０ｍｌまで濃縮する。２４時間後、沈殿した水性結晶を濾過し、アセトン５ｍｌで洗浄し、真空で乾燥する。収量は１.９ｇ（９０％）である。Ｍ＝４７６.６３ｇ/モル。このエステル交換の方法により塩化物イオンが異なる他のアニオン、例えばカルボキシレートアニオンに交換することができる。
【００７９】
１ＨＮＭＲ（δ［ｐｐｍ］，Ｊ［Ｈｚ］，ＭｅＯＨ-ｄ４）：２.１７ｓ（１２Ｈ），２.２９ｓ（３Ｈ），２.３４ｓ（６Ｈ），３.９２ｓ（２Ｈ），７.１ｄ（２Ｈ，Ｊ＝８.５），７.１３ｓ（４Ｈ），７.６ｄ（２Ｈ，Ｊ＝８.５），８.１ｓ（２Ｈ）。
１３ＣＮＭＲ（δ［ｐｐｍ］ＭｅＯＨ-ｄ４）：１４３.１ｓ，１４０.４ｓ，１３８.１ｓ，１３３.６ｓ，１３０.１ｓ，１２８.６ｓ，１２７.３ｓ，１２４.９ｓ，１２４.１ｓ。
【００８０】
例２５〜２８
ブタジエンとメタノールのテロ重合の一般的作業工程に類似してテロ重合を行った。それぞれ１．３−ブタジエン１５.０ｇ、メタノール１７.８ｇ、トリス（ジベンジリデンアセトン）ジパラジウム（０）０.００１２７ｇおよび水酸化ナトリウム０.１１ｇを使用した。リガンドとして１，３−ビス（２，４，６−トリメチルフェニル）イミダゾリウムクロリド（Ｆ）および１，３−ビス（２，４，６−トリメチルフェニル）イミダゾリウムトシレート（Ｇ）を使用した。反応は５０℃および９０℃で実施し、反応時間はそれぞれ１６時間であった。
【００８１】
【表４】
2004534059.tif 000016
【国際公開パンフレット】
2004534059.tif 000019
2004534059.tif 000020
2004534059.tif 000021
2004534059.tif 000022
2004534059.tif 000023
2004534059.tif 000024
2004534059.tif 000025
2004534059.tif 000026
2004534059.tif 000027
2004534059.tif 000028
2004534059.tif 000029
2004534059.tif 000030
2004534059.tif 000031
2004534059.tif 000032
2004534059.tif 000033
2004534059.tif 000034
2004534059.tif 000035
2004534059.tif 000036
2004534059.tif 000037
2004534059.tif 000038
2004534059.tif 000039
2004534059.tif 000040
2004534059.tif 000041
2004534059.tif 000042
2004534059.tif 000043
2004534059.tif 000044
2004534059.tif 000045
【国際公開パンフレット（コレクトバージョン）】
2004534059.tif 000046
【国際調査報告】
2004534059.tif 000047
2004534059.tif 000048
2004534059.tif 000049
2004534059.tif 000050
2004534059.tif 000051
2004534059.tif 000052